(57)【要約】      （修正有）【課題】線状光源の優れたアピール機能を維持しつつ、外力や支持部の経年劣化による脱落や変形等の問題を解消できる看板を提供する。【解決手段】看板１０は、複数のＬＥＤチップが長さ方向に沿って列状に実装され全体としてワイヤ形状又はテープ形状をなすＬＥＤ光源１１と、ＬＥＤ光源をその光が看板表面から出射するように支持する光源支持部材１２とを備えている。光源支持部材は、ＬＥＤ光源を支持する裏面部材１３と、ＬＥＤ光源を裏面部材との間に挟む表面部材１４とから構成され、ＬＥＤ光源は看板表面から突出しない。裏面部材はパンチング板で構成され、その多数の貫通孔１３ａはＬＥＤ光源からの熱の放熱用孔として機能する。【選択図】図１
0003215996.tif 000002
【実用新案登録請求の範囲】
【請求項１】
複数の発光ダイオードチップが長さ方向に沿って実装され全体としてワイヤ形状又はテープ形状をなす線状光源と、前記線状光源からの光が看板表面から出射するように前記線状光源を支持する光源支持部材とを備えており、前記光源支持部材は、前記線状光源を前記看板表面から突出しない状態で支持すると共に、前記複数の発光ダイオードチップのうち少なくとも一部の発光ダイオードチップに対応する位置に開口部を有していることを特徴とする看板。
【請求項２】
前記光源支持部材が、前記線状光源の前記看板表面側と反対側に配置され前記線状光源を支持する裏面部材と、前記線状光源の前記看板表面側に配置される表面部材とを備えており、前記裏面部材が前記開口部を有していることを特徴とする請求項１に記載の看板。
【請求項３】
前記裏面部材が多数の貫通孔を有するメッシュ板又はパンチング板から構成されていることを特徴とする請求項２に記載の看板。
【請求項４】
前記光源支持部材の前記看板表面側に前記線状光源が埋設状態に収容される凹溝が形成されており、前記光源支持部材の厚み方向における前記凹溝の底面に前記開口部が設けられていることを特徴とする請求項１に記載の看板。
【請求項５】
前記線状光源は、前記複数の発光ダイオードチップが前記長さ方向に沿って１列状に実装されて構成されていることを特徴とする請求項１から４のいずれか１項に記載の看板。
【請求項６】
前記線状光源は、前記複数の発光ダイオードチップが前記長さ方向に沿って複数列状に実装されて構成されていることを特徴とする請求項１から４のいずれか１項に記載の看板。
【請求項７】
前記線状光源は、前記複数の発光ダイオードチップが前記長さ方向に沿って複数のマトリクス状に実装されて構成されていることを特徴とする請求項１から４のいずれか１項に記載の看板。
【請求項８】
前記光源支持部材が看板に表示する文字又は図形と同じ形状を有しており、複数の前記線状光源が前記光源支持部材の前記文字又は図形を表す線に沿って互いに並列に配置されており、並列に配置された前記複数の線状光源のうちの最も外側に配置された線状光源における前記発光ダイオードチップはその光軸が前記外側に傾いて設置されていることを特徴とする請求項１から４のいずれか１項に記載の看板。
【請求項９】
前記光源支持部材の前記看板表面とは反対側に、前記光源支持部材と同じ形状の少なくとも１つの部材がスペーサを介して重畳して設けられていることを特徴とする請求項８に記載の看板。
【請求項１０】
前記線状光源が、ワイヤ形状又はテープ形状の基材と、該基材上に前記長さ方向に沿って所定間隔で実装された前記複数の発光ダイオードチップと、前記複数の発光ダイオードチップに電気的に接続された配線材と、前記基材、前記複数の発光ダイオードチップ及び前記配線材を覆う透光性の被覆材とを備えていることを特徴とする請求項１から９のいずれか１項に記載の看板。
【考案の詳細な説明】
【技術分野】
【０００１】
本考案は、複数の発光ダイオード（ＬＥＤ；Light Emitting Diode）チップが実装されたＬＥＤ光源を用いた看板に関する。
【背景技術】
【０００２】
近年、ＬＥＤ光源を用い、屋外又は屋内に設置される壁面取り付け型又は店先等に移動可能に設置される自立設置型（スタンド型）の看板が広く普及している。この種のＬＥＤ光源を用いた看板では、表示領域全面にＬＥＤチップを実装した面発光体を備え、看板表面に描かれた文字や図形等を透過照明するように構成されている。
【０００３】
光源として、多数のＬＥＤチップをマトリクス状に実装した面発光体を用いれば、看板表面全体に亘って輝度を高め且つその均一性を向上させることが可能となるが、ＬＥＤチップを多数用いる分、製造コストが大幅に増大する。
【０００４】
必要な部位を効率的に照明可能なテープ状のＬＥＤ光源も知られている。例えば、特許文献１には、テープ状のフレキシブル基板に複数のＬＥＤチップを取り付けて構成される線状光源からなる光源装置が提案されている。
【０００５】
特許文献１に記載されたような線状光源を看板表面に実装すれば、光源自体で文字や図形を表現することができ、背景に比べて文字や図形部分の輝度が高くなるため、より優れたアピール効果を期待することができる。
【先行技術文献】
【特許文献】
【０００６】
【特許文献１】特開２０１６−３９０８３号公報
【考案の概要】
【考案が解決しようとする課題】
【０００７】
しかしながら、線状光源を看板の表面に取り付けると、取り付けた線状光源が看板表面から突出しているため、例えば通行者が接触することによって脱落若しくは変形したり、いたずら等により破損する虞があった。また、線状光源が看板の表面に取り付けられているため、線状光源の一部に外力が作用した際にも看板から脱落し易く、さらに、線状光源の支持部の経年劣化によっても看板から剥離して脱落し易いという問題もあった。
【０００８】
さらにまた、従来のこの種の線状光源は、ＬＥＤチップの放熱対策が不充分であり、ＬＥＤ駆動部から放出される熱によってＬＥＤチップ自体が正常に動作せずに輝度が不均一となったり、ＬＥＤチップの故障や短寿命化を招くという問題をも有していた。
【０００９】
本考案はこのような現状に鑑みて創案されたもので、線状光源の優れたアピール機能を維持しつつ、脱落や変形等の問題を解消できる看板を提供することを目的とする。
【００１０】
本考案の他の目的は、簡単な構成でＬＥＤチップの放熱効果を向上させることができる看板を提供することにある。
【課題を解決するための手段】
【００１１】
上記目的を達成すべく、本考案の看板は、複数のＬＥＤチップが長さ方向に沿って実装され全体としてワイヤ形状又はテープ形状をなす線状光源と、線状光源からの光が看板表面から出射するようにこの線状光源を支持する光源支持部材とを備えており、光源支持部材は、線状光源を看板表面から突出しない状態で支持すると共に、複数のＬＥＤチップのうち少なくとも一部のＬＥＤチップに対応する位置に開口部を有している。このように線状光源が看板表面から突出しない状態で支持されるので、接触による線状光源の脱落や破損等が防止される。また、少なくとも一部のＬＥＤチップに対応する位置に開口部を有しているので、ＬＥＤチップの放熱効果を向上させることができる。
【００１２】
光源支持部材が、線状光源の看板表面側と反対側に配置され線状光源を支持する裏面部材と、線状光源の看板表面側に配置される表面部材とを備えており、裏面部材が開口部を有している構成とするのも好ましい。
【００１３】
裏面部材が多数の貫通孔を有するメッシュ板又はパンチング板からなる構成も好ましい。
【００１４】
光源支持部材の看板表面側に線状光源が埋設状態に収容される凹溝が形成されており、光源支持部材の厚み方向における凹溝の底面に開口部が設けられている構成も好ましい。
【００１５】
線状光源は、複数のＬＥＤチップが長さ方向に沿って１列状に実装されている構成も好ましい。
【００１６】
線状光源は、複数のＬＥＤチップが長さ方向に沿って複数列状に実装されている構成も好ましい。
【００１７】
線状光源は、複数のＬＥＤチップが長さ方向に沿って複数のマトリクス状に実装されている構成も好ましい。
【００１８】
光源支持部材が看板に表示する文字又は図形と同じ形状を有しており、複数の線状光源がこの光源支持部材の文字又は図形を表す線に沿って互いに並列に配置されており、並列に配置された複数の線状光源のうちの最も外側に配置された線状光源におけるＬＥＤチップはその光軸が上述の外側に傾いて設置されている構成も好ましい。
【００１９】
光源支持部材の看板表面とは反対側に、光源支持部材と同じ形状の少なくとも１つの部材がスペーサを介して重畳して設けられている構成も好ましい。
【００２０】
線状光源が、ワイヤ形状又はテープ形状の基材と、この基材上に長さ方向に沿って所定間隔で実装された複数のＬＥＤチップと、複数のＬＥＤチップに電気的に接続された配線材と、基材、複数のＬＥＤチップ及び配線材を覆う透光性の被覆材とを備えている構成も好ましい。
【考案の効果】
【００２１】
本考案によれば、線状光源の優れたアピール機能を維持しつつ、脱落や変形等の問題を解消できる看板を提供することができる。
【００２２】
また、簡単な構成で放熱効果を向上することができるため、ＬＥＤチップの使用寿命が延長され、メンテナンスのコストを削減することが可能となる。
【図面の簡単な説明】
【００２３】
【図１】本考案の第１の実施形態における看板の構成を概略的に示す分解斜視図である。
【図２】図１の看板におけるＡ−Ａ線での概要断面図である。
【図３】図１の看板におけるワイヤ形状のＬＥＤ光源を示す図で、（ａ）は外観の斜視図、（ｂ）は（ａ）のＢ−Ｂ線での概要縦断面図である。
【図４】図１の看板において、表面部材がパンチング板で形成されている例の分解斜視図である。
【図５】表面部材がパンチング板で形成されている場合のＬＥＤチップから表面部材までの距離の違いによる輝度の違いを示す図である。
【図６】本考案の第２の実施形態における看板の構成を概略的に示す斜視図である。
【図７】図６の看板におけるＣ−Ｃ線での概要断面である。
【図８】本考案の第３の実施形態における看板を示す図で、（ａ）は斜視図、（ｂ）は光源支持部材のみを示す斜視図である。
【図９】図８（ａ）のＤ−Ｄ線での概要断面図である。
【図１０】本考案の第４の実施形態におけるスタンド型の看板の構成を概略的に示す斜視図である。
【図１１】図１０の看板の構成を示す概要水平断面図である。
【図１２】図１０の看板におけるテープ形状のＬＥＤ光源の一例の電気的構成を概略的に示す断面図である。
【図１３】図１０の看板におけるテープ形状のＬＥＤ光源の他の例の電気的構成を概略的に示す断面図である。
【考案を実施するための形態】
【００２４】
以下、本考案に係る看板の実施形態について、図を参照して説明する。
【００２５】
まず、図１〜図５に基づいて本考案の第１の実施形態を説明する。
【００２６】
図１に示すように、看板１０は、線状光源としてのＬＥＤ光源１１と、ＬＥＤ光源１１を支持する光源支持部材１２とを備えている。ＬＥＤ光源１１は、後述するように、複数の発光ダイオードチップ（ＬＥＤチップ）が長さ方向に沿って実装され、全体としてワイヤ形状（又はチューブ形状）をなしている。光源支持部材１２は、ＬＥＤ光源１１の光出射方向（矢印Ｌ方向；看板表面側）と反対側に配置され、ＬＥＤ光源１１を支持する裏面部材１３と、ＬＥＤ光源１１の看板表面側に配置される表面部材１４とからなる２枚板構成である。本実施形態では、ＬＥＤ光源１１は「ＩＮ」という２文字を表示するように配置されている。ＬＥＤ光源１１は裏面部材１３の表面に粘着剤や両面テープ等の手段で固定され、さらに裏面部材１３と該裏面部材１３にネジ１５で一体に固定される表面部材１４との間で挟持されている（図２参照）。
【００２７】
裏面部材１３は、開口部としての多数の貫通孔１３ａが形成された金属製又は樹脂製のメッシュ板又はパンチング板から形成されている。パンチング板において、貫通孔１３ａの形状、大きさ、及び孔間距離は必要によって任意に設計することができる。表面部材１４は、透明又は半透明で開口部を有しない樹脂製板で形成されている。
【００２８】
本実施形態における看板１０の表面は表面部材１４で構成されているため、ＬＥＤ光源１１は看板表面から突出しない。ＬＥＤ光源１１は表面部材１４により外部との接触を防止される。このため、特に店先などに配置される自立設置型の看板の場合、通行者等が引っ掛かって脱落したり変形する可能性、及びいたずらされて損傷する可能性がなくなる。高所に設置される場合でも風で飛んできた物が当たって脱落したり損傷する虞もない。また、経時的に粘着剤や両面テープの接着機能が劣化しても裏面部材１３と表面部材１４との間に挟持されているため、裏面部材１３からの剥離が防止される。
【００２９】
図３に示すように、本実施形態におけるＬＥＤ光源１１は、可撓性を有する樹脂製基材１１ａと、樹脂製基材１１ａ上に所定間隔で１列状に実装された複数のＬＥＤチップ１１ｂと、これら複数のＬＥＤチップ１１ｂに電気的に並列接続されたリード線又はプリント回路による配線材１１ｃと、これら基材１１ａ、複数のＬＥＤチップ１１ｂ及び配線材１１ｃを覆う可撓性かつ透光性を有する被覆材１１ｄとから構成されている。これにより、ＬＥＤ光源１１は、全体としてワイヤ形状（又はチューブ形状）となり、ＬＥＤ光源１１を看板１０で表示する文字や図形に沿って配置すれば、文字や図形部分の輝度を他の背景部分の輝度に比べて大幅に高めることが可能となる。
【００３０】
ＬＥＤチップ１１ｂでは発光部は殆ど発熱しないが、ＩＣ駆動部は発熱する。放熱が良好になされないと、ＬＥＤチップ１１ｂが正常に動作せずに輝度が不均一となったり故障する等の原因となる。本実施形態では、ＬＥＤ光源１１をパンチング板からなる裏面部材１３で支持しているので、図２に示すように、ＬＥＤチップ１１ｂのＩＣ駆動部に看板外部に連通する貫通孔１３ａが対向するため、放熱が良好になされる。
【００３１】
すなわち、裏面部材１３には全面に多数の貫通孔１３ａが存在するので、フレキシブルな線状光源であるＬＥＤ光源１１を上下左右方向あるいは斜め方向に配置しても、いずれの場合もＩＣ駆動部に貫通孔１３ａが対向する確率は高い。従って、簡単な構成で放熱効果を向上させることができる。そのため、ＬＥＤ光源１１の使用寿命が延長され、メンテナンスのコストを削減することが可能となる。
【００３２】
表面部材としては、図４に示すように、透明又は半透明の樹脂製のメッシュ板又はパンチング板で構成してもよい。この場合、図５（ａ）に示すように、ＬＥＤチップ１１ｂの発光面と表面部材１６との間の距離ｈが短すぎると、照射範囲が狭いため、表面部材１６の貫通孔１６ａと非開口部１６ｂとで明るさの濃淡が生じる虞がある。この場合、図５（ｂ）に示すように、照射範囲が広くなる距離ｈ’とすれば、照射範囲の重なりで非開口部１６ｂでの輝度低下を抑制することができる。図５において符号１７、１８はスペーサを示している。図４では表面部材１６と裏面部材１３とを一体化するネジやＬＥＤ光源１１におけるＬＥＤチップ１１ｂ以外の要素は省略している。
【００３３】
ＬＥＤ光源１１の光源色については、白色ＬＥＤ、又は赤色ＬＥＤ、緑色ＬＥＤ及び青色ＬＥＤの三原色を単独又は組み合わせて用いても良い。また、光の明るさや色温度を段階的に変更するように構成しても良い。後述するように、ワイヤ形状のＬＥＤ光源に代えて、複数のＬＥＤチップ１１ｂをテープ形状の基材上に配置したテープ形状のＬＥＤ光源を用いても良い。テープ形状のＬＥＤ光源としては、複数のＬＥＤチップを樹脂製基材上に複数の列状又は複数のマトリクス状に実装されていることが望ましい。表面部材は不透明のメッシュ板又はパンチング板で形成してもよい。
【００３４】
図６及び図７に基づいて本考案の第２の実施形態を説明する。なお、上記実施形態と同一部分は同一符号で示し、既にした構成上及び機能上の説明は適宜省略する（以下の他の実施形態において同じ）。
【００３５】
図６に示すように、本実施形態における看板２０は、ワイヤ形状のＬＥＤ光源１１と、単板構成の光源支持部材２１とを備えている。光源支持部材２１は、例えば、樹脂製の透明又は半透明の板から形成されている。光源支持部材２１の表面２１Ａには、文字Ｉを表示するＬＥＤ光源１１を収容する凹溝２２と、文字Ｎを表示するＬＥＤ光源１１を収容する凹溝２３とが形成されている。各ＬＥＤ光源１１はこれらの凹溝２２、２３に埋設状態に、すなわち支持部材２１の表面から突出しない状態に収容され、粘着剤、両面テープ等で固着されている。
【００３６】
図７に示すように、光源支持部材２１の厚み方向における凹溝２２、２３の底面には、光源支持部材２１の裏面２１Ｂ側に開口する開口部２４が設けられている。ＬＥＤ光源１１はＬＥＤチップ１１ｂにおけるＩＣ駆動部が開口部２４に対向するように凹溝２２、２３に収容されている。開口部２４の形状としては、凹溝２２、２３の高さ方向全体に亘って延びる、凹溝２２、２３の幅よりも狭いスリットとして形成してもよい。また、凹溝２２、２３の高さ方向に間隔をおいて形成された複数の穴からなる構成としてもよい。ＬＥＤ光源１１から発生する熱は開口部２４を介して光源支持部材２１の外部に放熱される。
【００３７】
図８及び図９に基づいて本考案の第３の実施形態を説明する。
【００３８】
図８（ａ）に示すように、本実施形態における看板２５は、屋上の壁面等に取り付けられる大型の文字形看板を例示している。例えばＳ文字を表示する看板２５は、このＳ文字と同じ形状のＳ字形に形成された裏面部材２６と、裏面部材２６の表面にＳ文字を表す線に沿って互いに並列に複数列（ここでは３列）に配置された線状光源としてのＬＥＤ光源１１Ａ、１１Ｂ及び１１Ｃと、裏面部材２６の背面側にスペーサ２８を介して重畳して設けられた複数の背面板２９とから一体に構成されている。看板２５は長ボルト３０で不図示の壁面に固定される。本実施形態における光源支持部材は、第１の実施形態と同様に裏面部材２６と表面部材とからなるが、表面部材は省略している。なお、本実施形態では、背面板２９は複数重畳されているが、単一の背面板を裏面部材２６の背面側に設けても良い。
【００３９】
本実施形態では、裏面部材２６は、図８（ｂ）に示すように、開口部としての多数の貫通孔２６ａ（一部の領域では省略）が形成された金属製又は樹脂製のパンチング板をＳ字形に形成したもので、貫通孔２６ａの他にボルト挿通孔２６ｂが形成されている。複数の背面板２９は裏面部材２６と同じ材料で同一に形成されている。ＬＥＤ光源１１のＩＣ駆動部から出る熱は、裏面部材２６の貫通孔２６ａを通って隣り合う背面板２９との間の隙間３１に開放されるので、放熱が良好に行われる。
【００４０】
ＬＥＤ光源１１の放熱に関しては、裏面部材２６と隣り合う背面板２９との間に隙間があれば十分で、奥側の背面板２９間の隙間３１は必ずしも必要ではない。但し、各板間にスペーサ２８を介することにより、軽量化を図りながら看板としては重要な奥行のある重厚感、立体感を出すことができるという利点がある。上記の重厚感、立体感を出すことができれば背面板２９の材質、開口形状は上記に限定されない。上記のように、ＬＥＤ光源１１Ａ、１１Ｂ及び１１Ｃは裏面部材２６と表面部材との間に配置されるので、風等で飛んで来た物が当たってＬＥＤ光源１１Ａ、１１Ｂ及び１１Ｃが脱落したり損傷する等の虞はない。光源支持部材は第２の実施形態と同様に単板構成としてもよい。
【００４１】
文字形状等の表示対象の縁に沿って配置されるＬＥＤ光源１１Ａ、１１Ｃは、縁すれすれではなく内方へある程度の余裕（取付代）をもって取り付けられる。このため、縁部分では輝度が低下して暗くなりがちである。これは、ＬＥＤ光源の指向性に起因している。この問題に対処すべく、本実施形態では、図９に示すように、並列に配置された複数のＬＥＤ光源１１Ａ、１１Ｂ及び１１Ｃのうちの最も外側に配置されたＬＥＤ光源１１Ａ及び１１ＣにおけるＬＥＤチップはその光軸が外側に傾いて設置されている。即ち、ＬＥＤ光源１１Ａ及び１１Ｃでは、ＬＥＤチップ１１ｂの光軸が外側にα度傾くように設置されている。具体的には、例えば、ＬＥＤチップ１１ｂの基台を傾斜させて取り付けることにより光軸を傾けることができる。本実施形態では文字の場合について説明したが、表示対象が図形等の場合にも同じである。このようにすれば、縁の部分が暗くなるのを抑制でき、文字全体の輝度を均一することができる。
【００４２】
図１０〜図１３に基づいて本考案の第４の実施形態を説明する。
【００４３】
本実施形態におけるスタンド型の看板３２は、図１０及び図１１に示すように、支持台３３と、支持台３３にその外面を覆うように取り付けられた光源支持部材３４と、光源支持部材３４に支持されるテープ形状のＬＥＤ光源３５とを備えている。支持台３３は、ベースプレート３６と、ベースプレート３６に固定された支柱３７と、支柱３７に支持された箱形状の支持体３８と、支持体３８の角部に固定された小径の支柱３９とを備えている。各支柱３９には高さ方向に延びるスリットが形成されている。
【００４４】
光源支持部材３４は、表面部材３４Ａと、裏面部材３４Ｂとから構成されている。表面部材３４Ａと裏面部材３４Ｂは共にアクリル等の樹脂を湾曲加工して形成し、２枚重ね状態でその縁を支柱３９のスリットに挿入して一体化されている。テープ形状のＬＥＤ光源３５は、図１１の部分拡大図から明らかなように、裏面部材３４Ｂに内方に膨らませて形成した凹溝４０に収容され、粘着剤や両面テープ等で固着されている。ＬＥＤ光源３５は、さらに第１の実施形態と同様に、表面部材３４Ａと裏面部材３４Ｂとの間で挟持されている。凹溝４０は支柱３９と光源支持部材３４とで区画される４つの領域に２箇所ずつ、計８か所に設けられている。
【００４５】
裏面部材３４Ｂの厚み方向における凹溝４０の底面には、厚み方向内方へ貫通する開口部４１が設けられている。開口部４１の形状としては、凹溝４０の高さ方向全体に亘って延びる、凹溝４０の幅よりも狭いスリットとして形成してもよい。また、凹溝４０の高さ方向に間隔をおいて形成された複数の穴からなる構成としてもよい。ＬＥＤ光源３５から発生する熱は開口部４１を介して光源支持部材３４の内方に放熱される。
【００４６】
図１２に示すように、ＬＥＤ光源３５は、可撓性を有する樹脂製基材１１ａと、樹脂製基材１１ａ上に所定間隔で２列状に実装された複数のＬＥＤチップ１１ｂと、これら複数のＬＥＤチップ１１ｂに電気的に並列接続されたリード線又はプリント回路による配線材１１ｃと、これら基材１１ａ、複数のＬＥＤチップ１１ｂ及び配線材１１ｃを覆う可撓性かつ透光性を有する被覆材１１ｄとから構成されている。ＬＥＤ光源３５は、全体としては扁平なテープ形状を有している。
【００４７】
ＬＥＤ光源３５は看板３２の表面から突出しないので、通りがかりの人が接触すること等による脱落や損傷、あるいはいたずらによる破損等の心配がない。また、表面部材３４Ａに印刷された図形や文字等の表示内容４２を適正な明るさで効率的に照明することができる。テープ形状のＬＥＤ光源としては、図１３に符号３５’で示すように、ＬＥＤチップ１１ｂがマトリクス状に配置されたモジュール４３が長手方向に沿って複数実装された構成としてもよい。
【００４８】
上記各実施形態における看板では、線状光源として、ワイヤ形状又はテープ形状のＬＥＤ光源を用いる例を説明したが、本考案はこれに限定されるものではない。例えば、有機ＥＬから形成されたワイヤ形状又はテープ形状の有機ＥＬ光源を用いても良い。
【００４９】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００５０】
１０、２０、２５、３２  看板
１１、１１Ａ、１１Ｂ、１１Ｃ、３５、３５’  線状光源としてのＬＥＤ光源
１１ｂ  発光ダイオードチップとしてのＬＥＤチップ
１２、２１、３４  光源支持部材
１３、２６  裏面部材
１３ａ、２６ａ  開口部としての貫通孔
１４  表面部材
２４、４１  開口部
２８  スペーサ
【図１】
0003215996.tif 000003
【図２】
0003215996.tif 000004
【図３】
0003215996.tif 000005
【図４】
0003215996.tif 000006
【図５】
0003215996.tif 000007
【図６】
0003215996.tif 000008
【図７】
0003215996.tif 000009
【図８】
0003215996.tif 000010
【図９】
0003215996.tif 000011
【図１０】
0003215996.tif 000012
【図１１】
0003215996.tif 000013
【図１２】
0003215996.tif 000014
【図１３】
0003215996.tif 000015